(57)【要約】【課題】建物の解体などに伴う廃木材について薬剤含有の有無を判定する方法として、より安全性の高い方法を提供する。【解決手段】酢酸水溶液を溶媒としたジフェニルカルバジドの溶液を判定薬として廃木材に塗布し、それから所定時間経過後の前記判定薬による呈色の有無からクロム化合物を成分とする薬剤の含有の有無を判定するようにしている。【選択図】        なし【特許請求の範囲】
【請求項１】
建物の解体などに伴う廃木材について薬剤含有の有無を判定する方法であって、酢酸水溶液を溶媒としたジフェニルカルバジドの溶液を判定薬として廃木材に塗布し、それから所定時間経過後の前記判定薬による呈色の有無からクロム化合物を成分とする薬剤の含有の有無を判定するようにした廃木材の薬剤含有判定方法。
【請求項２】
ジフェニルカルバジドの溶媒として酢酸に加えてエタノールを併用するようにした請求項１に記載の廃木材の薬剤含有判定方法。
【発明の詳細な説明】
【０００１】
【発明の属する技術分野】
本発明は、建物の解体などに伴って排出される廃木材を例えばチップ化してリサイクルする場合に、そのチップ化に適さない薬剤含有廃木材を判定する方法に関する。
【０００２】
【従来の技術】
２００２年５月に建設リサイクル法（建設工事に係る資材の再資源化に関する法律）が施行され、建設資材廃棄物（建築物の解体や新設などの際に排出される廃棄物）の分別解体と再資源化が義務付けられることになった。再資源化を必要とする建設資材廃棄物としてはコンクリート廃材、アスファルト廃材および廃木材があり、例えばコンクリート廃材は再生骨材、アスファルト廃材は再生アスファルト合材、そして廃木材は木材チップとするなどして再資源化しなければならない。
【０００３】
【発明が解決しようとする課題】
廃木材の再資源化は、上記のように木材チップの形態でなされ、その木材チップを例えばチップボード材料やボイラー燃料などとして用いるのが有力な手法とされている。この場合に一つの問題がある。それは廃木材には防腐剤や防蟻剤などとして有毒な薬剤を含有しているものが含まれているということである。木材の防腐や防蟻のための保存処理については、例えば日本農林規格（ＪＡＳ）に枠組壁工法構造用製材の規格が定められている。この規格では、保存処理薬剤としてクレオソート油保存処理薬剤、クロム・銅・ヒ素化合物系保存処理薬剤、アルキルアンモニウム化合物系保存処理薬剤など７種類が規定されている。その中でも、保存効力が高いとして最も多用されているのはクロム・銅・ヒ素化合物系薬剤である。クロム・銅・ヒ素化合物系薬剤は、ＣＣＡ薬剤とも呼ばれ、日本工業規格（ＪＩＳ）にＪＩＳ  Ｋ１５５４としてその規格がある。それによると、ＣＣＡ薬剤には１〜３号があり、それぞれのクロム、銅化およびヒ素の各化合物の含有量が定められている。したがって薬剤処理を施した木材には多くの場合にクロム、銅およびヒ素の各化合物が含まれていることになる。これら化合物の内のクロム化合物とヒ素化合物が高い毒性を持つことはよく知られている。このため廃木材に薬剤含有のものが混じり込むと、廃木材を再資源化するにしてもその活用範囲を大きく制限されることになり、実際的には焼却処理するしかないということになりかねない。
【０００４】
薬剤処理木材は主に床下部分に用いられており、建物の解体工事に際して床下部分からの廃木材とそれ以外の部分からの廃木材に選別することができれば、薬剤含有廃木材が混入するのを防止することができる。しかし解体工事の実情からすれば、それを実行するのは非現実的である。したがって例えば解体工事業者が廃木材の薬剤含有の有無を判定し、もし薬剤含有廃木材が混入していればそれを選別・分離し、それから廃木材を再資源化処理業者などに引き渡すようなシステムとするのが実用的である。
【０００５】
そこで廃木材に対して薬剤含有の有無を簡便に判定することのできる手法が望まれることになる。保存処理薬剤の検出については、同じＪＡＳの枠組壁工法構造用製材規格にその試験法が定められている。これは薬剤処理木材への保存処理薬剤の浸潤度を確認するための試験法であり、保存処理薬剤成分の呈色反応を利用している。そしてＣＣＡ薬剤に対しては、クロムに対する呈色反応性のあるジフェニルカルバジド［２，２’−Ｄｉｐｈｅｎｙｌｃａｒｂｏｎｉｃ  ｄｈｉｈｙｄｒａｚｉｄｅ；  １，５−  Ｄｉｐｈｅｎｙｌｃａｒｂｏｈｉｈｙｄｒａｚｉｄｅ：（Ｃ６Ｈ５ＮＨＮＨ）２ＣＯ］を用い、このジフェニルカルバジドを２−プロパノール（イソプロピルアルコール）で溶解させ、さらに水を加えたものを薬剤検出薬として用いるとされている。すなわちこのＪＡＳ規定の試験法は、簡便な呈色反応で保存処理薬剤の検出を可能とするものであり、これを用いることで、廃木材における薬剤含有の有無も簡便に判別することが可能となる。
【０００６】
ところで、イソプロピルアルコールは、常温引火性があり、しかも人体に対する有害性も高い。例えばイソプロピルアルコールの急性中毒では、急激な血圧低下や胃腸障害（吐気や嘔吐）がみられ、また中枢神経抑制作用として嗜眠、頭痛、麻酔作用がみられ、重篤な場合には昏睡に陥り死亡にまでいたるとされている。このようなイソプロピルアルコールをジフェニルカルバジドの溶媒に用いるのは、ＪＡＳで定めるような、薬剤処理木材から採取した小さな試験片に少量の薬剤検出薬を塗布して行なう実験室的な試験の場合であれば、特に問題はない。しかし廃木材における薬剤含有判定の場合には、作業効率などのことから廃木材に直接に薬剤判定薬を塗布して判定を行なう必要があり、薬剤判定薬の使用量も多くなる。また作業現場の実情から薬品の厳格な取り扱いを徹底させることも難しい。このようなことから廃木材における薬剤含有の有無の判定でイソプロピルアルコールを使用することは作業の危険性を高めることになりかねないことになる。
【０００７】
本発明は、このような廃木材の再資源化をとりまく状況の分析に基づいてなされたものであり、より安全性の高い廃木材の薬剤含有判定方法の提供を目的としている。
【０００８】
【課題を解決するための手段】
ジフェニルカルバジドは、イソプロピルアルコールの他にもアセトン、熱エタノール、酢酸に溶け易いとされている。そこでこれらについて溶解性を実験的に評価するとともに、それぞれの有害性評価を行なった。その結果、酢酸が最も優れていることが分かった。すなわち酢酸は、食品である酢の成分であり、その特有な臭に若干の難があるものの人体に対する有害性はまったくなく、しかもジフェニルカルバジドの溶解性はイソプロピルアルコールに較べても高い。
【０００９】
したがって本発明では、建物の解体などに伴う廃木材について薬剤含有の有無を判定するについて、酢酸水溶液を溶媒としたジフェニルカルバジドの溶液を判定薬として廃木材に塗布し、それから所定時間経過後の前記判定薬による呈色の有無からクロム化合物を成分とする薬剤の含有の有無を判定するものとしている。
【００１０】
このような廃木材の薬剤含有判定方法については、ジフェニルカルバジドの溶媒として酢酸に加えてエタノールを併用するのが好ましい。それはエタノールを併用することで溶解性を低下させることなく、酢酸特有の臭気による影響を抑制することができるからである。
【００１１】
【発明の実施の形態】
以下、本発明の実施の形態について説明する。本発明による廃木材の薬剤含有判定方法の好ましい一つの実施形態では、酢酸（ＣＨ３ＣＯＯＨ）の水溶液を溶媒としたジフェニルカルバジドの溶液を薬剤含有の有無に対する判定薬として用い、この判定薬を例えば一つの建物解体工事現場から排出された廃木材の全てに塗布し、それから所定時間経過後に呈色の有無を視認し、呈色のあった廃木材を薬剤含有廃木材として選別・分離する。酢酸水溶液は、酢酸と水を例えば５０：５０の容積比で作製するのが代表的な例である。またジフェニルカルバジドの酢酸水溶液への溶解量は、例えば酢酸水溶液１００ｍｌに対して０．５ｇのジフェニルカルバジドを溶解させるのが代表的な例である。廃木材への判定薬の塗布は、例えばスプレーガンなどで散布して行なうのが大量の廃木材を迅速に処理する上で最も簡便で好ましい。このように簡便なスプレーガンによる散布方式を用いることができるのには、溶媒として人体にまったく害のない酢酸水溶液を用いるようにしたことが大きく寄与している。
【００１２】
本発明の他の実施形態では、酢酸に加えてエタノール（エチルアルコール：Ｃ２Ｈ５ＯＨ）を溶媒として併用する。これは溶解性を低下させることなく、酢酸特有の臭気による影響を低減させるためである。このことは作業環境をよりよくするのに役立つ。また廃木材から得られる再資源化材、例えば木材チップに酢酸特有の臭気が付いてその製品価値を低下させるのを防ぐにも有利である。酢酸とエタノールの混合比は半々程度とするのが通常で、例えば容積比で酢酸：エタノール：水＝２５：２５：５０とするのが代表的な例である。
【００１３】
【比較実験例】
以下では、本発明による方法をジフェニルカルバジドの溶媒としてイソプロピルアルコールを用いる場合と比較した実験例について説明する。
実験１；溶媒として酢酸：エタノール：水＝２５：２５：５０を用い、この溶媒５０ｍｌに０．５ｇのジフェニルカルバジドをビーカー中で溶解させて判定薬を作製し、これを廃木材に刷毛で塗布した。
実験２；溶媒としてイソプロピルアルコール：水＝５０：５０を用い、この溶媒５０ｍｌに０．５ｇのジフェニルカルバジドをビーカー中で溶解させて判定薬を作製し、これを廃木材に刷毛で塗布した。
【００１４】
この対比実験の結果から溶解性と呈色性のいずれについても本発明による方法が優れていることが示された。すなわちイソプロピルアルコールを用いるイソプロピルアルコール溶媒法では、ジフェニルカルバジドの溶解に１０分以上の時間を要し、しかもビーカーの底にジフェニルカルバジドの結晶が若干残存し、完全な溶解には至らなかった。一方、酢酸を溶媒ベースとして本発明による酢酸ベース溶媒法では、３分程度でジフェニルカルバジドの完全な溶解が得られた。また呈色性については、イソプロピルアルコール溶媒方法であるとくすんだ薄い赤紫色の呈色しか得られないのに対し、酢酸ベース溶媒法では鮮やかな赤紫色の呈色が得られ、その視認性は後者が格段に優れていた。この視認性は、廃木材にはくすんだ暗色のものが多いことを考慮すると、特に大きな利点であり、判別作業をより容易なものとするのに大きく寄与する。また呈色出現までの時間についても前者が約４分であるのに対し後者は約３分であり、作業の迅速性という点で若干の優位性が認められた。
【００１５】
【発明の効果】
以上に説明したように、本発明によれば、建物の解体などで排出される廃木材から有害な薬剤含有の廃木材を安全かつ簡便に判定して選別することができるようになり、廃木材の再資源化をより有効的に行なうことが可能となる。